(57)【要約】      （修正有）【課題】ＨＤＲ／ＳＤＲ同時表示中に映像をキャプチャした際に、適切な特性を有する１つのファイルとして保存できるようにし、ユーザーの利便性を向上する。【解決手段】表示装置へ入力される映像信号を第一表示設定情報に基づき補正を行ない、第一補正映像信号を生成する第一画像補正部１０３−１と、表示装置へ入力される映像信号を第二表示設定情報に基づき補正を行ない、第二補正映像信号を生成する第二画像補正部１０３−２と、第一補正映像信号と第二補正映像信号を合成し、表示パネルに表示する映像信号合成部１０４と、映像信号を符号化する映像信号符号化部１０８と、表示装置へ入力される映像信号の特性と表示パネルにおける表示画面数及び画面毎のＥＯＴＦ特性に基づき、映像信号符号化部における符号化画像のＯＥＴＦ特性を決定する保存特性決定部１０７と、を有する。【選択図】図１
2020048142.tif 000002
【特許請求の範囲】
【請求項１】
映像信号を表示する表示パネルと、
表示装置へ入力される映像信号を前記表示装置の第一表示設定情報に基づき補正を行ない、第一補正映像信号を生成する第一映像補正部と、
表示装置へ入力される映像信号を前記表示装置の第二表示設定情報に基づき補正を行ない、第二補正映像信号を生成する第二映像補正部と、
前記第一補正映像信号と前記第二補正映像信号を合成し、前記表示パネルに表示する映像信号合成手段と、
前記映像信号を符号化する映像信号符号化手段と、
前記表示装置へ入力される映像信号の特性と前記表示パネルにおける表示画面数、及び画面毎のＥＯＴＦ特性に基づき、前記映像信号符号化手段における符号化画像のＯＥＴＦ特性を決定する保存特性決定手段と、
を有することを特徴とする表示装置。
【請求項２】
前記表示パネルにＨＤＲ、およびＳＤＲの２画面表示が行われている場合に、前記映像信号符号化手段における符号化画像のＯＥＴＦ特性は、ＨＬＧ（Ｈｙｂｒｉｄ  Ｌｏｇ−Ｇａｍｍａ）とすることを特徴とする請求項１に記載の表示装置。
【請求項３】
映像信号を表示する表示パネルを有する表示装置の制御方法であって、
表示装置へ入力される映像信号を前記表示装置の第一表示設定情報に基づき補正を行ない、第一補正映像信号を生成するステップと、
表示装置へ入力される映像信号を前記表示装置の第二表示設定情報に基づき補正を行ない、第二補正映像信号を生成するステップと、
前記第一補正映像信号と前記第二補正映像信号を合成し、前記表示パネルに表示するステップと、
前記映像信号を符号化するステップと、
前記表示装置へ入力される映像信号の特性と前記表示パネルにおける表示画面数、及び画面毎のＥＯＴＦ特性に基づき、前記映像信号符号化手段における符号化画像のＯＥＴＦ特性を決定するステップと、
を有することを特徴とする制御方法。
【請求項４】
前記表示パネルにＨＤＲ、およびＳＤＲの２画面表示が行われている場合に、前記映像信号符号化手段における符号化画像のＯＥＴＦ特性は、ＨＬＧ（Ｈｙｂｒｉｄ  Ｌｏｇ−Ｇａｍｍａ）とすることを特徴とする請求項２に記載の制御方法。
【発明の詳細な説明】
【技術分野】
【０００１】
本発明は、表示装置、及びその制御方法に関する。
【背景技術】
【０００２】
表示装置（ディスプレイ）のＨＤＲ（Ｈｉｇｈ  Ｄｙｎａｍｉｃ  Ｒａｎｇｅ）化が進んでいる。  ＨＤＲの伝達関数にはＨＬＧ（Ｈｙｂｒｉｄ  Ｌｏｇ−Ｇａｍｍａ）とＳＴ２０８４等があり、ＢＴ．２０２０規格で規定されている。  一方、従来からのＳＤＲ（Ｓｔａｎｄａｒｄ  Ｄｙｎａｍｉｃ  Ｒａｎｇｅ）も継続的に利用されている。  放送番組の映像素材の編集時に使用されるディスプレイ（映像制作ディスプレイ）では、ＨＤＲ、ＳＤＲ両方に対応することが求められる。
【０００３】
その映像制作ディスプレイでは、表示中の映像をキャプチャしてＵＳＢメモリ等へファイル保存する機能を有することが多い。編集中過程の映像をファイル保存しておき、のちにその過程を確認する等、２次利用する為である。そのファイル保存時の符号化方式には、特許文献１がある。
【０００４】
また２画面表示機能を有し、ＨＤＲ映像とＳＤＲ映像の同時表示（ＨＤＲ／ＳＤＲ同時表示）を行なうことが出来る機種も存在する。
【０００５】
従来、ＨＤＲ／ＳＤＲ同時表示状態で映像をキャプチャした際、適切な静止画保存方法がなかった。例えば、ＨＤＲ画像、ＳＤＲ画像の２枚を別のファイルとして保存すると、ユーザーは２次利用時にどちらのファイルがＨＤＲ画像、ＳＤＲ画像か分かりにくい。
よって１画面表示時同様、１つのファイルとして保存することが望ましい。
【０００６】
また、１つのファイルとして保存すると仮定した際、ＨＤＲもしくはＳＤＲどちらの特性で保存するかを選択する操作が煩わしい。
【先行技術文献】
【特許文献】
【０００７】
【特許文献１】特表２００７−５３４２３８号公報
【発明の概要】
【発明が解決しようとする課題】
【０００８】
本発明は、ＨＤＲ／ＳＤＲ同時表示中に映像をキャプチャした際に、適切な特性を有する１つのファイルとして保存できるようにし、ユーザーの利便性を向上させることを解決すべき課題とする。
【課題を解決するための手段】
【０００９】
上記の課題を解決するために、本発明に係る表示装置は、
映像信号を表示する表示パネルと、
表示装置へ入力される映像信号を前記表示装置の第一表示設定情報に基づき補正を行ない、第一補正映像信号を生成する第一映像補正部と、
表示装置へ入力される映像信号を前記表示装置の第二表示設定情報に基づき補正を行ない、第二補正映像信号を生成する第二映像補正部と、
前記第一補正映像信号と前記第二補正映像信号を合成し、前記表示パネルに表示する映像信号合成手段と、
前記映像信号を符号化する映像信号符号化手段と、
前記表示装置へ入力される映像信号の特性と前記表示パネルにおける表示画面数、及び画面毎のＥＯＴＦ特性に基づき、前記映像信号符号化手段における符号化画像のＯＥＴＦ特性を決定する保存特性決定手段と、
を有することを特徴とする。
【発明の効果】
【００１０】
本発明に係る表示装置によれば、ＨＤＲ／ＳＤＲ同時表示中に映像をキャプチャした際に、適切な特性を有する１つのファイルとして保存できるようにすることで、ＨＤＲもしくはＳＤＲどちらの特性で保存するかを選択する操作が不要になり、ユーザーの利便性が向上する。
【図面の簡単な説明】
【００１１】
【図１】本発明の実施例に係る表示装置の主要な構成を示すブロック図
【図２】本発明の実施例に係る２画面表示時の表示例
【図３】本発明の実施例に係る符号化ＯＥＴＦ特性の決定例
【発明を実施するための形態】
【００１２】
以下に本発明による表示装置及びその制御方法の実施の形態について述べる。
【実施例１】
【００１３】
本発明の実施例１について、図を用いて以下に説明する。
【００１４】
図１は本実施例１による表示装置の主要な構成を示すブロック図である。
【００１５】
図１の表示装置１００は、映像受信端子１０１、受信部１０２、画像処理部１０３、合成部１０４、表示部１０５、表示状態管理部１０６、符号化特性決定部１０７、符号化処理部１０８から構成する。
【００１６】
まず、表示装置１００の基本動作について説明する。
【００１７】
表示装置１００は、ユーザーの電源ボタン（不図示）操作により起動する。起動後、受信部１０２は映像受信端子１０１を介して、不図示の映像信号源からの入力映像信号を受信する。  表示装置１００の映像受信端子１０１は、ＳＭＰＴＥで規定されるＳＤＩ（Ｓｅｒｉａｌ  Ｄｉｇｉｔａｌ  Ｉｎｔｅｒｆａｃｅ）を用いている。
【００１８】
画像処理部１０３は表示装置の表示設定情報に基づき入力映像信号に補正を行う。表示設定の例としては、画面数設定、ＥＯＴＦ設定がある。表示設定は不図示のユーザー指示に基づく。  画面数設定には「１画面」、「２画面」がある。ＥＯＴＦ特性には「ＳＤＲ」、「ＨＤＲ」があり、画像処理部１０３は入力映像のＯＥＴＦ（ｏｐｔｏ  ｅｌｅｃｔｒｏｎｉｃ  ｔｒａｎｓｆｅｒ  ｆｕｎｃｔｉｏｎ）特性を検出し、本ＥＯＴＦ設定に基づき、表示部１０３への表示に適した特性に変換する。画像処理部１０３は、第一画像処理部１０３−１、第二画像処理部１０３−２の２つの画像処理部を有し、画面数設定が「２画面」の場合は、各々の画像処理部にて異なる処理を行うことも可能である。入力映像のＯＥＴＦ特性情報、及び画像処理に用いたＥＯＴＦ特性情報は、画像処理部１０３にて保持する。
【００１９】
合成部１０４は、画像処理部１０３からの映像信号を前記表示設定情報に基づき合成する。画面数設定「１画面」の場合など、合成しない場合は映像を表示部１０６全体に表示する（１画面表示）。画面数設定「２画面」の場合など、合成する場合は、例えば２つの映像を左右に並べて表示部１０６に表示する（２画面表示）。  ２画面表示時の表示例を図２に示す。図２に示す通り、右側左側子画面各々に異なるＥＯＴＦ特性、例えば、ＨＤＲ系とＳＤＲ系、ＳＤＲ系とＨＤＲ系の特性を持つ画面を表示することも可能である。１画面表示か２画面表示かの画面表示状態情報は、表示状態管理部１０６にて保持する。
【００２０】
次に、本発明のポイントとなる符号化特性決定部１０７、符号化処理部１０８による画面キャプチャ時のファイル保存動作・処理について説明する。
【００２１】
符号化特性決定部１０７は、表示映像のキャプチャ指示（不図示）を検出すると、入力映像のＯＥＴＦ特性情報、画面表示状態情報、及びＥＯＴＦ特性情報に基づき、キャプチャ画像の符号化ＯＥＴＦ特性を決定する。その決定例を図３に示す。例えば図３の３０１では、入力映像のＯＥＴＦ特性がＳＴ２０８４であって、画面表示状態が２画面、各子画面のＥＯＴＦ特性がＨＤＲ系、ＳＤＲ系であった場合、キャプチャ画像のＯＥＴＦ特性をＨＬＧとすることを示している。例えば図３の３０２では、入力映像のＯＥＴＦ特性がＨＬＧであって、画面表示状態が２画面、各子画面のＥＯＴＦ特性がともにＳＤＲ系であった場合、キャプチャ画像のＯＥＴＦ特性をＳＤＲ系（例えばＢＴ．７０９など）とすることを示している。
【００２２】
以上述べた通り、ＨＤＲ／ＳＤＲ同時表示状態で映像をキャプチャした際、入力信号のＯＥＴＦ特性に依らずＨＬＧ特性で保存することで、２次利用の際、ＳＤＲ、ＨＤＲどちらのディスプレイでも適切な表示が行えるようになる。
【００２３】
［その他実施例］
前述の実施例では、ＨＤＲ／ＳＤＲ同時表示状態で映像をキャプチャした際、入力信号のＯＥＴＦ特性に依らずＨＬＧ特性で保存する例を述べた。保存時の特性はＨＬＧに限らず、ＳＤＲ、ＨＤＲ双方の表示に適した特性でもよい。
【符号の説明】
【００２４】
１００  表示装置、１０１  映像受信端子、１０２  受信部、
１０３  画像処理部、１０４  合成部、１０５  表示部、
１０６  表示状態管理部、１０７  符号化特性決定部、
１０８  符号化特性処理部
【図１】
2020048142.tif 000003
【図２】
2020048142.tif 000004
【図３】
2020048142.tif 000005